(57)【要約】      （修正有）【課題】ウォータースプレーガンの放水制御構造を提供する。【解決手段】ウォータースプレーガン１０の放水制御構造は、ウォータースプレーガン１０の把持部１１に水を流通させるための中空管カラム中にインナーコアスイッチが設置され、前記インナーコアスイッチはダイヤルスイッチ４０に接続される。把持部１１のケースには、ダイヤルスイッチ４０のトグル部４２を露出させて使用者にトグルさせるための窓１７が設置され、これによりウォータースプレーガン１０からの放水が、全閉、全開、または部分的な開放に制御される。【選択図】図６
0003210048.tif 000002
【実用新案登録請求の範囲】
【請求項１】
ウォータースプレーガンの把持部中に成形される中空管カラムであって、前記中空管カラムの内部には主水路及び前記主水路に連通される延伸水路を含み、前記主水路及び前記延伸水路により外部水源が前記ウォータースプレーガンのノズルに引き入れられることと、
結合部と、前記結合部を径方向に貫通させるボアと、前記結合部の底端に拡径するように成形される位置限定リングと、前記位置限定リングの底面の一側から下に向けて延伸されるシール部材と、前記シール部材の外表面に固定されるシールガスケットと含むインナーコアスイッチであって、前記インナーコアスイッチは前記主水路中に軸回転するように設置され、前記結合部は前記中空管カラムの上端から突出されることと、を特徴とし、
半円形の側壁と、前記側壁の外表面に成形されるトグル部と、前記側壁に成形されると共に前記インナーコアスイッチの結合部に接続される接続構造で構成されるダイヤルスイッチと、
前記把持部のケースに設置され、前記トグル部を収容させると共に前記トグル部をその中で左右に移動させる窓とを備え、
上述の構造により、前記トグル部が前記窓の第一側までトグルされると、前記ダイヤルスイッチにより前記インナーコアスイッチが連動されて同期されて回転され、前記シール部材は前記主水路及び前記延伸水路の交差点に対応され、前記シールガスケットにより前記交差点が完全に封鎖され、前記トグル部が前記窓の第二側までトグルされると、前記シール部材及び前記シールガスケットが前記交差点から離間され、前記交差点が完全に開放され、前記トグル部がトグルされて前記窓の前記第一側と前記第二側との間に位置されると、前記シール部材及び前記シールガスケットが前記交差点から部分的に離間され、前記交差点が部分的に開放されることを特徴とするウォータースプレーガンの放水制御構造。
【請求項２】
前記中空管カラムは上壁を有し、前記上壁には前記主水路に連通される上端孔部が設けられ、前記上端孔部の直径は前記主水路の直径より小さく、前記インナーコアスイッチの前記結合部は前記上端孔部から突出され、前記位置限定リングは前記上壁内面に当接され、前記位置限定リングと前記上壁との間にはシールリングが設置されることを特徴とする、請求項１に記載のウォータースプレーガンの放水制御構造。
【請求項３】
前記位置限定リングの底面の他側からは下に向けて板状のシート部材が延伸され、前記シート部材は前記シール部材に連接されることを特徴とする、請求項１に記載のウォータースプレーガンの放水制御構造。
【請求項４】
前記接続構造は、前記インナーコアスイッチの前記結合部を径方向に貫通させるボア、及び前記ダイヤルスイッチの側壁の上端に成形されると共に前記側壁の円心方向に延伸されるプラグを備え、前記プラグの開放端には弾性により張り合わせられる１対のフック部を有し、前記プラグは前記ボアに貫入され、前記フック部は前記ボアから突出されると共に前記結合部の外壁に係合されることを特徴とする、請求項１に記載のウォータースプレーガンの放水制御構造。
【請求項５】
前記ダイヤルスイッチの前記トグル部は前記側壁の中心位置に成形され、前記プラグは前記側壁の偏心位置に成形されることを特徴とする、請求項４に記載のウォータースプレーガンの放水制御構造。
【請求項６】
前記プラグの上面には位置限定ブロックが凸設され、前記結合部は前記ボアに対する箇所に位置限定溝が開設され、前記位置限定ブロックは前記位置限定溝に嵌め込まれることを特徴とする、請求項４に記載のウォータースプレーガンの放水制御構造。
【請求項７】
前記中空管カラムの上端に近い外表面には環状フランジが凸設され、前記ダイヤルスイッチの側壁の下端に近い箇所には段差が設置され、前記環状フランジにより前記段差が支持されることを特徴とする、請求項１に記載のウォータースプレーガンの放水制御構造。
【考案の詳細な説明】
【技術分野】
【０００１】
本考案は、園芸工具のウォータースプレーガンの放水制御に関する。
【背景技術】
【０００２】
園芸工具のウォータースプレーガンの把持部には放水スイッチが設置され、放水スイッチのオンとオフが切り換えられることにより水が前記ウォータースプレーガンのノズルから放水されるかどうかが制御される。前記放水スイッチは押圧式及びトグル式を含み、両者は共に前記把持部の表面から明確に突出される部材である。また、放水スイッチは前記把持部のインナーコア部材に設置されて前記ウォータースプレーガンの水路の開閉の制御に用いられる。前記インナーコア部材は前記放水スイッチに合わせて特別に設計される部材である。
【考案の概要】
【考案が解決しようとする課題】
【０００３】
しかしながら、現在の押圧式及びトグル式スイッチは、前記インナーコア部材の数量及び形態が非常に複雑であり、製造コストが高く、装設に時間と費用がかかり、各部材の装設精度が失われ、スイッチ操作がスムーズに行えなくなり、放水が妨害されたり、漏水する等の問題があった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、ウォータースプレーガンの放水制御構造を提供することを主目的とし、すなわち、前記放水制御構造はほぼ全て前記ウォータースプレーガンの把持部中に内設され、１つのダイヤルスイッチが前記把持部の窓から露出されるように設置されるのみであり、使用者が指で触ったりトグルすることができる。このような設計により、本考案のウォータースプレーガンの把持部は、外表には構造上突出する部材が何も無くなる。
【０００６】
本考案の他の目的は、ウォータースプレーガンの放水制御構造を提供し、前記放水制御構造は左右に無段階のトグルが行えるモードが採用されて、前記ウォータースプレーガンの放水の全閉、全開が制御され、且つ無段階調整方式により前記ウォータースプレーガンの放水量が制御される。
【０００７】
本考案のさらなる他の目的は、ウォータースプレーガンの放水制御構造を提供し、前記放水制御構造は部材が少なく、装設が容易であり、操作や放水がスムーズであり、漏水も無い等の特徴を有する。
【課題を解決するための手段】
【０００８】
上述した課題を解決し、目的を達成するために、本考案に係るウォータースプレーガンの放水制御構造は、
ウォータースプレーガンの把持部中に成形される中空管カラムであって、前記中空管カラムの内部には主水路及び前記主水路に連通される延伸水路を含み、前記主水路及び前記延伸水路により外部水源が前記ウォータースプレーガンのノズルに引き入れられることと、
結合部と、前記結合部を径方向に貫通させるボアと、前記結合部の底端に拡径するように成形される位置限定リングと、前記位置限定リングの底面の一側から下に向けて延伸されるシール部材と、前記シール部材の外表面に固定されるシールガスケットと含むインナーコアスイッチであって、前記インナーコアスイッチは前記主水路中に軸回転するように設置され、前記結合部は前記中空管カラムの上端から突出されることと、
半円形の側壁と、前記側壁の外表面に成形されるトグル部と、前記側壁に成形されると共に前記インナーコアスイッチの結合部に接続される接続構造で構成されるダイヤルスイッチと、
前記把持部のケースに設置され、前記トグル部を収容させると共に前記トグル部をその中で左右に移動させる窓とを備え、
上述の構造により、前記トグル部が前記窓の第一側までトグルされると、前記ダイヤルスイッチにより前記インナーコアスイッチが連動されて同期されて回転され、前記シール部材は前記主水路及び前記延伸水路の交差点に対応され、前記シールガスケットにより前記交差点が完全に封鎖され、前記トグル部が前記窓の第二側までトグルされると、前記シール部材及び前記シールガスケットが前記交差点から離間され、前記交差点が完全に開放され、前記トグル部がトグルされて前記窓の前記第一側と前記第二側との間に位置されると、前記シール部材及び前記シールガスケットが前記交差点から部分的に離間され、前記交差点が部分的に開放される。
【図面の簡単な説明】
【０００９】
【図１】本考案に係るウォータースプレーガンを示す正面の外観斜視図である。
【図２】本考案に係るウォータースプレーガンを示す背面の傾斜の分解図である。
【図３】本考案に係るウォータースプレーガンのインナーコアスイッチとダイヤルスイッチを示す傾斜の分解図である。
【図４】本考案に係るウォータースプレーガンのインナーコアスイッチと中空管カラムを示す傾斜の分解図である。
【図５】本考案のインナーコアスイッチと前記ダイヤルスイッチを示す組合せの外観図である。
【図６】本考案に係るウォータースプレーガンを示す背面の傾斜外観図である。
【図７】図６に示すＶＩＩ−ＶＩＩに沿う断面図である。
【図８】図７の動作を示す概略図（一）である。
【図９】図７の動作を示す概略図（二）である。
【図１０】本考案に係るウォータースプレーガンを示す全体の縦断面図である。
【図１１】本考案に係るウォータースプレーガンを示す一部の縦断面図である。
【考案を実施するための形態】
【００１０】
以下に図面を参照して、本考案を実施するための形態について、詳細に説明する。なお、本考案は、以下に説明する実施形態に限定されるものではない。また、実施形態における各種の異なる部材は説明の比率、寸法、変形量、または移動量に基づいて描写するものであり、実際の部材の比率に基づいて描写するものではない
【実施形態】
【００１１】
以下、本考案の具体的な実施形態を図１〜１１に基づいて説明する。本考案のウォータースプレーガン１０は、把持部１１と、前記把持部１１の底端に接合される国際標準の接合部１２と、前記把持部１１の上端に連結されるノズル１３とを備える。前記把持部１１は第一ケース１４及び第二ケース１５が組み合わせられることにより柱状の外形を呈する（図１参照）。
【００１２】
前記第一ケース１４の内部には中空管カラム１６が成形され、前記中空管カラム１６の上端には軸回転するインナーコアスイッチ３０が設置され、前記インナーコアスイッチ３０はダイヤルスイッチ４０に接続される。前記第二ケース１５には前記ダイヤルスイッチ４０に対応するように窓１７が設置される（図２参照）。
【００１３】
また、図３及び図４に示すように、前記中空管カラム１６の内部には両端を軸方向に貫通させる主水路１８を有し、前記中空管カラム１６の上壁１９には前記主水路１８に連通される上端孔部２０が設けられ、前記上端孔部２０の直径は前記主水路１８の直径より小さい。前記中空管カラム１６の底端はスクリュー構造２１により前記国際標準の接合部１２に連結され、且つ両者の間にはシールリング２２を有する。前記接合部１２は水道管(図示せず)に接合され、前記水道管は延伸されて外部水源(図示せず)に接続される。前記外部水源の水は前記水道管及び前記国際標準の接合部１２により前記主水路１８に進入する。
【００１４】
前記インナーコアスイッチ３０は一体成形される構造であり、上端に位置される結合部３１を備え、前記結合部３１の底端には位置限定リング３３が拡径されるように成形され、前記位置限定リング３３の底面の一側からは下に向けて延伸されて柱状のシール部材３４が成形され、前記シール部材３４の外表面には弾性材料で製造されるシールガスケット３５が固定される。前記位置限定リング３３の底面の他側からは下に向けて板状のシート部材３６が延伸され、前記シート部材３６は前記シール部材３４に連接される。前記シート部材３６により区切られることにより、前記位置限定リング３３以下の前記シール部材３４の後に２つのチャンネル３７が形成される。
【００１５】
なお、前記インナーコアスイッチ３０は前記主水路１８の底端から前記主水路１８中に装入されると共に前記中空管カラム１６の上端に到達する。前記結合部３１は前記上端孔部２０から突出され、前記位置限定リング３３は前記中空管カラム１６の上壁１９に当接され、両者の間にはシールリング３８が設置される（図３、図４及び図１０参照）。
【００１６】
図３、図４及び図７に示すように、前記位置限定リング３３の円周、前記シール部材３４の表面、前記シールガスケット３５、及び前記シート部材３６の辺縁は共に前記中空管カラム１６に構成される前記主水路１８の内壁面１８１に接触させ、これにより前記インナーコアスイッチ３０が前記主水路１８中で歪まず、偏心や偏位もないように確保される。前記シート部材３６により前記シール部材３４の背面が支持され、前記シール部材３４の変形確率が減少し、且つ前記シール部材３４が前記インナーコアスイッチ３０の中心方向に変形したり擺動しないように確保される。
【００１７】
さらに、図３及び図５に示すように、前記ダイヤルスイッチ４０は半円形の側壁４１を備え、前記側壁４１の外表面には突出されるトグル部４２が成形され、前記側壁４１と前記インナーコアスイッチ３０の結合部３１との間には互いに接続させるための接続構造４７を有する。前記接続構造４７は、前記結合部３１を径方向に貫通させるボア３２、及び前記側壁４１の上端に成形されると共に前記側壁４１の円心方向に延伸されるプラグ４３を含み、前記プラグ４３の開放端は弾性により張り合わせられる１対のフック部４４を有する。前記プラグ４３は前記ボア３２に貫入され、前記フック部４４は前記ボア３２から突出されると共に前記結合部３１の外壁に係合される。好ましくは、前記トグル部４２は前記側壁４１の中心位置に成形され、前記プラグ４３は前記側壁４１の偏心位置に成形される。また、前記中空管カラム１６の上端に近い外表面には環状フランジ２３が凸設され、前記ダイヤルスイッチ４０の側壁４１の下端に近い箇所には段差４５が設けられ(図１１参照)、前記環状フランジ２３により前記段差４５が支持され、前記ダイヤルスイッチ４０が安定的に前記中空管カラム１６の外壁を卷回させるように回転移動させる。また、前記プラグ４３の上面には位置限定ブロック４６が凸設され、前記インナーコアスイッチ３０の結合部３１は前記ボア３２に対する箇所に位置限定溝３９が開設され、前記位置限定ブロック４６は前記位置限定溝３９に嵌め込まれる。
【００１８】
また、前記ダイヤルスイッチ４０のトグル部４２は前記第二ケース１５の窓１７から露出され、使用者が前記把持部１１を把持させてウォータースプレーガン１０を使用する場合、指で前記トグル部４２に触れ、前記ダイヤルスイッチ４０を左右にトグルさせる。前記ダイヤルスイッチ４０が回転されると、前記プラグ４３により前記インナーコアスイッチ３０が連動されて前記中空管カラム１６中で回転される（図６参照）。
【００１９】
図７乃至図１１に示すように、前記中空管カラム１６の内部には斜め方向に延伸水路２４が更に設けられて前記主水路１８に連通され、前記延伸水路２４及び前記ノズル１３内部のノズル水路２５が接続される。
【００２０】
さらに、図７及び図１１に示すように、前記トグル部４２が前記窓１７の第一側までトグルされると、前記ダイヤルスイッチ４０により前記インナーコアスイッチ３０が連動されて回転され、前記シール部材３４が前記主水路１８及び前記延伸水路２４の交差点２６に対応させ、前記シールガスケット３５により前記交差点２６が完全に封鎖され、前記主水路１８中の水が前記延伸水路２４に進入して前記ノズル１３から放水されることがなくなる。
【００２１】
図９及び図１０に示すように、前記トグル部４２が前記窓１７の第二側までトグルされると、前記インナーコアスイッチ３０が連動されて回転され、前記シール部材３４が前記交差点２６から離間され、前記インナーコアスイッチ３０のその中の１つのチャンネル３７が前記交差点２６に完全に対応させ、前記交差点２６が完全に開放される。前記主水路１８及び延伸水路２４が連通されて、水が前記延伸水路２４に進入し、前記ノズル水路２５を通過させて前記ノズル１３から噴出される。
【００２２】
なお、前記トグル部４２が前記第一側及び第二側の間にトグルされると、前記シール部材３４が前記交差点２６から部分的に離間され、前記チャンネル３７が前記交差点２６に部分的に対応させ、前記交差点２６が部分的に開放される。水が前記主水路１８から前記延伸水路２４に進入するが、但し水量は図９に示すものより小さい（図８参照）。
【００２３】
図７、図８及び図９に示すように、前記ダイヤルスイッチ４０及び前記インナーコアスイッチ３０が無段階に回転され、前記交差点２６が全閉、全開、または部分的に開放されるように制御される。前記ウォータースプレーガン１０の放水を全閉、全開、及び放水量を無段階で調整させる目的を達成させる。
【００２４】
以上、本考案の実施形態について図面を参照して詳述したが、具体的な構成はこの実施形態に限られるものではなく、本考案の要旨を逸脱しない範囲の設計変更等も含まれる。
【符号の説明】
【００２５】
１０  ウォータースプレーガン
１１  把持部
１２  接合部
１３  ノズル
１４  第一ケース
１５  第二ケース
１６  中空管カラム
１７  窓
１８  主水路
１８１  内壁面
１９  中空管カラムの上壁
２０  上端孔部
２１  スクリュー構造
２２  シールリング
２３  環状フランジ
２４  延伸水路
２５  ノズル水路
２６  交差点
３０  インナーコアスイッチ
３１  結合部
３２  ボア
３３  位置限定リング
３４  シール部材
３５  シールガスケット
３６  シート部材
３７  チャンネル
３８  シールリング
３９  位置限定溝
４０  ダイヤルスイッチ
４１  側壁
４２  トグル部
４３  プラグ
４４  フック部
４５  段差
４６  位置限定ブロック
４７  接続構造
【図１】
0003210048.tif 000003
【図２】
0003210048.tif 000004
【図３】
0003210048.tif 000005
【図４】
0003210048.tif 000006
【図５】
0003210048.tif 000007
【図６】
0003210048.tif 000008
【図７】
0003210048.tif 000009
【図８】
0003210048.tif 000010
【図９】
0003210048.tif 000011
【図１０】
0003210048.tif 000012
【図１１】
0003210048.tif 000013